(57)【要約】【課題】接続先の機器において、電力を効率的に使用することが可能なパック電池を提供する。【解決手段】パック電池であって、独立した第１の給電系統及び第２の給電系統と、１又は複数の電池からなり、前記第１の給電系統に電気的に接続される第１の電池ブロックと、１又は複数の電池からなり、前記第２の給電系統に電気的に接続され、前記第１の電池ブロックとは異なる特性を有する第２の電池ブロックとが１つの筐体に収納されている。【選択図】      図２
2004178434.tif 000002
【特許請求の範囲】
【請求項１】
独立した第１及び第２の給電系統と、
１又は複数の電池からなり、前記第１の給電系統に電気的に接続される第１の電池ブロックと、
１又は複数の電池からなり、前記第２の給電系統に電気的に接続され、前記第１の電池ブロックとは異なる特性を有する第２の電池ブロックとが１つの筐体に収納されていることを特徴とするパック電池。
【請求項２】
前記第１の電池ブロックと前記第２の電池ブロックとでは、これらを構成している前記各電池の配列又は種類が異なっていることを特徴とする請求項１記載のパック電池。
【請求項３】
前記第１の電池ブロックを構成している各電池は、ニッケル水素電池又はニッケルカドミウム電池であり、前記第２の電池ブロックを構成している各電池は、リチウムイオン電池又はポリマー電池であることを特徴とする請求項２記載のパック電池。
【請求項４】
前記パック電池は、第１の機器と当該第１の機器に比べて負荷変動が大きな第２の機器とを有する装置に接続されるものであって、
前記第１の給電系統が、前記第２の機器に接続されており、前記第２の給電系統が、前記第１の機器に接続されていることを特徴とする請求項３記載のパック電池。
【請求項５】
ＣＰＵとその他の機器とを有する携帯型パソコンの電源として使用されるパック電池であって、
前記ＣＰＵに接続される第１の給電系統と、
前記その他の機器と接続され、前記第１の給電系統とは別系統の第２の給電系統と、
ニッケル水素電池又はニッケルカドミウム電池からなり、前記第１の給電系統に電気的に接続される第１の電池ブロックと、
リチウムイオン電池又はポリマー電池からなり、前記第２の給電系統に電気的に接続される第２の電池ブロックとが１つの筐体に収納されていることを特徴とするパック電池。
【発明の詳細な説明】
【０００１】
【発明の属する技術分野】
本発明は、パック電池に関し、特に、携帯型のパーソナルコンピュータに収納するパック電池に関する。
【０００２】
【従来の技術】
一般的に、いわゆるノートパソコンに代表される携帯型パーソナルコンピュータ（以下、「携帯型パソコン」という。）の電源として、パック電池が用いられている。
図３に示すように、従来のパック電池１１０は、例えば、下部筐体１１１及び上部筐体１１２により閉塞される空間に、６本のリチウムイオン電池１１３ａ〜１１３ｆと、回路基板１１４とが収納されている。
【０００３】
この回路基板１１４は、これらの電池の充放電を制御するための制御回路１１５と、携帯型パソコンに接続するための接続用端子１１６ａ、１１６ｂとが同一基板上に実装されてなる。
また、上述のパック電池１１０に用いられる素電池として、上述のリチウムイオン電池の他に、ポリマー電池、ニッケルカドミウム電池又はニッケル水素電池などが用いられることもある。
【０００４】
図４は、パック電池１１０及び携帯型パソコン１２０の回路図である。
各リチウムイオン電池の起電圧は、３．６Ｖであり、これらが２個並列に接続されてなる組が、３組直列に接続されることにより、電池ブロック１１３を形成し、この電池ブロック全体として１０．８Ｖを出力する。
この電池ブロック１１３の両端子が、充放電制御用の制御回路１１５を介して、回路基板１１４上に設けられた端子１１６ａ、端子１１６ｂに接続されている。
【０００５】
携帯型パソコン１２０は、ＣＰＵ、液晶ディスプレイ及びハードディスクなどの機器を内蔵しており、これらの機器は、端子１２３ａと端子１２３ｂとを介して上述のパック電池１１０に接続される。
ところで、上述のパソコン内部に内蔵されている各機器の負荷特性は様々であり、大別すると、ＣＰＵのように駆動電圧が０．９Ｖ〜１．４Ｖと低く、かつ、電流値が数Ａから約２０Ａにまで達し、負荷変動が大きな機器（以下、「低電圧高負荷変動型機器」という。）と、液晶ディスプレイやハードディスクのように駆動電圧が１０Ｖ程度と高く、かつ、電流値が数ｍＡ程度と低く、負荷も低い機器（以下、「高電圧低負荷型機器」という。）とがある。
【０００６】
このため、従来のパック電池１１０は、これら全ての機器、即ち、低電圧高負荷変動型機器１２１及び高電圧低負荷型機器１２２のいずれにも対応できるように、出力電圧が高く、かつ、電流容量が大きく設計されている。（例えば、特許文献１参照）
このような従来のパック電池１１０を電源として使用する携帯型パソコンは、ＣＰＵのような低電圧高負荷変動型機器の電力供給路上において、電圧を降下させるレギュレータ等の半導体素子１２４を設け、印加電圧を機器側の駆動電圧に調整している。
【０００７】
【特許文献１】
特開平１０−１２２０１号公報
【０００８】
【発明が解決しようとする課題】
しかしながら、半導体素子１２４により電圧を降下させると、５〜１０％の電力損失が生じ、パック電池の電力を効率的に使用することができないという問題がある。
携帯型パソコンにおいては、駆動時間延長化の観点から、恒常的な省電力化の要請があり、特に、ＣＰＵでは、２０Ａもの大電流が流れるため、このような電力損失についても無視することができない状況となっている。
【０００９】
そこで本発明は、上記問題を解決しようとなされたものであって、電力を効率的に使用することが可能なパック電池を提供することを目的とする。
【００１０】
【課題を解決するための手段】
上記目的を達成するために、本発明のパック電池は、独立した第１及び第２の給電系統と、１又は複数の電池からなり、前記第１の給電系統に電気的に接続される第１の電池ブロックと、１又は複数の電池からなり、前記第２の給電系統に電気的に接続され、前記第１の電池ブロックとは異なる特性を有する第２の電池ブロックとが１つの筐体に収納されていることを特徴とする。
【００１１】
また、本発明のパック電池は、ＣＰＵとその他の機器とを有する携帯型パソコンの電源として使用されるパック電池であって、前記ＣＰＵに接続される第１の給電系統と、前記その他の機器と接続され、前記第１の給電系統とは別系統の第２の給電系統とを有し、ニッケル水素電池又はニッケルカドミウム電池からなり、前記第１の給電系統に電気的に接続される第１の電池ブロックと、リチウムイオン電池又はポリマー電池からなり、前記第２の給電系統に電気的に接続される第２の電池ブロックとが１つの筐体に収納されていることを特徴とする。
【００１２】
【発明の実施の形態】
発明の実施の形態に係るパック電池について、図１を用いて説明する。
（構成）
図１に示すように、パック電池１０は、携帯型パソコンの電源として使用されるものであって、下部筐体１１及び上部筐体１２により閉塞される空間に、直列に接続された３本のリチウムイオン電池１３ａ、１３ｂ及び１３ｃ（以下、「電池ブロック１３」という。）と、同一極性同士が向かい合うように一列に配置されて電気的に並列接続された２本のニッケル水素電池１４ａ及び１４ｂ（以下、「電池ブロック１４」という。）と、回路基板１５とが、それぞれの長手方向が同方向となるように並設され、収納されている構成となっている。
【００１３】
この回路基板１５は、外部装置に接続するための端子と、充放電の制御を行うための回路とが同一基板上に実装されてなる。
ここで、ニッケル水素電池及びリチウムイオン電池のそれぞれの特性について説明する。
ニッケル水素電池は、起電圧が１．２Ｖ程度であり、負荷変動が生じても電流出力を維持し易い、つまり、負荷変動に対する耐力が大きいという特性がある。
【００１４】
一方、リチウムイオン電池は、起電圧が３．６Ｖ程度とニッケル水素電池の３倍近い放電電圧が得られるという特徴があるが、高負荷放電時に放電電圧が降下し、高負荷放電には不向きな特性がある。
このような特性の電池をパック電池１０に使用する結果、上述の電池ブロック１３の出力電圧は、１０．８Ｖ程度となり、また、上述の電池ブロック１４の出力電圧は、１．２Ｖ程度となる。
【００１５】
図２は、このパック電池１０の回路図である。
また、図２には、このパック電池１０を電源として使用する携帯型パソコン３０の回路図も合わせて示されている。
ところで、この携帯型パソコン３０は、大きく分けると以下の２種類の機器を備えている。
（１）低電圧高負荷変動型機器３１
低電圧高負荷変動型機器３１は、先にも述べたように、ＣＰＵに代表される機器であって、駆動電圧が０．９Ｖ〜１．４Ｖ程度と低く、かつ、電流値が数Ａから約２０Ａにまで達し、負荷変動が大きな機器である。
【００１６】
なお、本実施の形態における携帯型パソコン３０では、電池ブロック１４の出力電圧が低電圧高負荷変動型機器３１の駆動電圧と一致しているので、図４に示す従来例において、パック電池１０からの出力電圧を低電圧高負荷変動型機器３１の駆動電圧に降下させるために要していた半導体素子１２４に相当するものは、存在しない。
（２）高電圧低負荷型機器３２
高電圧低負荷型機器３２は、先にも述べたように、液晶ディスプレイやハードディスクに代表される機器であって、駆動電圧が１０Ｖ程度と高く、かつ、電流値が数ｍＡ程度と低い、即ち、負荷及び負荷変動が小さな機器である。
【００１７】
このように負荷特性が異なる複数の機器を備える携帯型パソコン３０の電源として用いられるパック電池１０は、図２に示すように、独立した２つの給電系統を有する。
ここで、便宜上、図２に示すように、パック電池１０における電池ブロック１４の両極から端子１８ａ及び１８ｂに至る給電系統、即ち、第１の給電系統の一例としての給電系統をＡ給電系統といい、また、パック電池１０における電池ブロック１３から端子１８ｃ及び１８ｄに至る電力の給電系統、即ち、第２の給電系統の一例としての給電系統をＢ給電系統という。
【００１８】
電池ブロック１４の正極が、回路基板１５上に配設されている端子１８ａに接続され、また、電池ブロック１４の負極が過充電防止用のヒューズ１７を介して回路基板１５上に配設されている１８ｂに接続されている。
このヒューズ１７は、過電流が流れた場合に溶断して回路を遮断するためのものである。
【００１９】
一方、図２に示すように、電池ブロック１３の正極が制御回路１６を介して端子１８ｃと電気的に接続され、また、負極が制御回路１６を介して端子１８ｄと電気的に接続されている。
なお、先に述べたように、上述の端子１８ａ、端子１８ｂ，端子１８ｃ、端子１８ｄ及び制御回路１６は、同一基板上に実装されている。
【００２０】
このパック電池１０は、携帯型パソコン３０に装着される際、端子１８ａ及び端子１８ｂ、即ち、Ａ給電系統が上述の低電圧高負荷変動型機器３１に接続され、端子３３ｃ及び３３ｄ、即ち、Ｂ給電系統が上述の高電圧低負荷型機器３２に接続される。
これにより、低電圧高負荷変動型機器３１の駆動電圧とＡ給電系統の出力電圧とがほぼ一致し、また、高電圧低負荷型機器３２の駆動電圧とＢ給電系統の出力電圧とがほぼ一致するため、Ａ給電系統及びＢ給電系統から供給される電力は、電圧が調整されることなく使用される。
【００２１】
上述の制御回路１６は、コントロールＩＣ１９と、ＦＥＴ２０ａ及び２０ｂと、抵抗２１ａ、２１ｂ及び２１ｃと、コンデンサ２２ａ及び２２ｂと、ヒューズ２３とが図２に示すように接続されている。
この制御回路１６は、一般的にリチウムイオン電池の保護に用いられている回路であり、公知の技術により容易に作成が可能であるため、詳細な説明は省略するものとし、以下、動作の概略を説明する。
（制御回路の動作）
（１）通常状態
コントロールＩＣ１９は、リチウムイオン電池の充放電の制御を実施するＩＣチップであって、Ｖｃｃ−Ｖｓｓ間に接続された電池ブロック１３の電圧を監視し、充放電を制御する機能を有する。
【００２２】
より具体的には、コントロールＩＣ１９は、Ｖｃｃ−Ｖｓｓ間の電圧が規定の電圧範囲内、即ち、９．０Ｖから１２．６Ｖの範囲にある場合、充電用のＦＥＴ２０ａ及び放電用のＦＥＴ２０ｂをＯＮし、充放電を実施する。
充電時、携帯型パソコン３０は、商用電源に接続されており、携帯型パソコン３０内の図示していない充電部は、パック電池１０のＡ給電系統及びＢ給電系統それぞれに異なる電圧を印加することとなる。
【００２３】
（２）過充電保護
上述の通常状態における充電中に、Ｖｃｃ−Ｖｓｓ間の電圧が、充電禁止電圧以上、即ち、１２．９Ｖ以上となった時、コントロールＩＣ１９は、ＦＥＴ２０ａをＯＦＦし、充電を停止する。
また、Ｖｃｃ−Ｖｓｓ間の電圧が、自己放電あるいは放電により、しきい値電圧以下、即ち、１２．３Ｖ以下となったとき、コントロールＩＣ１９は、ＦＥＴ２０ａをＯＮして通常状態に復帰させる。
【００２４】
（３）過放電保護
通常状態での放電中に、Ｖｃｃ−Ｖｓｓ間の電圧が、放電禁止電圧以下、即ち、７．５Ｖ以下となったとき、コントロールＩＣ１９は、ＦＥＴ２０ｂをＯＦＦして放電を停止させる。
また、コントロールＩＣ１９は、Ｖｃｃ−Ｖｓｓ間の電圧が９．６Ｖ以上になると、ＦＥＴ２０ｂをＯＮして通常状態に復帰させる。
【００２５】
（４）過電流放電保護
コントロールＩＣ１９は、通常状態での放電中に、ＦＥＴ２０ｂのドレイン部の接続端子ＣＭにおける電圧が、ドレイン部に流れる電流が７．５Ａ以上に対応する電圧になった時、ＦＥＴ２０ｂをＯＦＦし、放電を停止させる。
また、コントロールＩＣ１９は、Ｖｃｃ−Ｖｓｓ間の電圧の監視によって、充電されていること検出したとき、ＦＥＴ２０ｂをＯＮして、過電流放電保護状態から通常状態に復帰させる。
【００２６】
このように独立した２つの給電系統を有するパック電池１０は、異なる２つの電圧を出力することができるため、このパック電池１０を使用する携帯型パソコン３０は、低電圧高負荷変動型機器３１を駆動させる際、半導体素子や抵抗などを用いて電圧を降下させる必要がなく、よって、電圧降下に伴う電力損失もない。
（電池パック１０の効果）
パック電池１０は、負荷や駆動電圧などの特性が異なる複数の機器を備える装置に対し、これらの各機器の特性に合わせて設計を行った電池ブロックをそれぞれ設け、各電池ブロックからそれぞれ独立した系統により電力を供給するため、つまり、負荷変動が大きいＣＰＵへの電力供給は、負荷変動に対する耐力が大きなニッケル水素電池から、即ち、Ａ給電系統から行い、駆動電圧が高く、負荷変動が少ない液晶ディスプレイなどには、起電力が高く、負荷変動に対する耐力が小さなリチウムイオン電池、即ち、Ｂ給電系統から行うため、各機器の特性に相応しい特性を有する電源から電力供給され、装置側において、電圧を調整する必要もなく、よって、電圧の調整に伴う電力損失も生じない。
【００２７】
また、従来、全ての機器の特性に対応可能なように、パック電池の設計がオーバースペックとなることを余儀なくされていたが、本実施形態のパック電池１０では、各系統それぞれの特性に応じた電池ブロックの設計が可能となるため、無駄のない設計が可能となる。
例えば、従来のパック電池１１０では、ＣＰＵ、液晶ディスプレイ及びハードディスクなどを全て駆動するために、リチウムイオン電池を６本使用する必要があったものを、本実施の形態のパック電池１０では、リチウムイオン電池３本、ニッケル水素電池２本の計５本のみを使用し、ＣＰＵ、液晶ディスプレイ及びハードディスクなど駆動することができる。
【００２８】
このように、従来、電池の総本数６本を必要としていたものが、電力の使用効率が向上したために、総本数を５本にすることができ、パック電池をコンパクトにすることができる。さらに、特性の異なる２つの電池ブロックを設けて、異なる給電系統を構成しているとはいえ、回路基板１５を共用して端子１８ａ〜１８ｄを回路基板１５上に隣接して配置し、また、それら全体を一つの筐体内に収納している。このため、各電池ブロックを別々のパック電池として構成するよりも、全体としてコンパクトにすることができる。
（長時間使用時における携帯型パソコン３０の動作）
商用電源に接続されない状態で、携帯型パソコン３０が長時間使用されると、電池ブロック１３及び電池ブロック１４のいずれかが上述の過放電保護により放電がストップする。
【００２９】
この場合に備えて、携帯型パソコン３０は、以下のようにして、出力可能な系統の電力を、出力がストップした系統に分け与える。
即ち、Ａ給電系統の電圧出力がストップし、Ｂ給電系統の電圧が未だ出力可能である場合、携帯型パソコン３０は、Ｂ給電系統の電圧を半導体素子や抵抗などにより１Ｖ程度に降圧して、ＣＰＵなどのＡ給電系統と接続されている機器に出力する。
【００３０】
このような処理を、便宜上、第１バックアップ処理という。
また、Ｂ給電系統の電圧出力がストップし、Ａ給電系統の電圧が未だ出力可能である場合、携帯型パソコン３０は、Ａ給電系統の電圧を昇圧回路により１０Ｖ程度に昇圧して、液晶ディスプレイやハードディスクなどのＢ給電系統と接続されている機器に出力する。
【００３１】
このような処理を、便宜上、第２バックアップ処理という。
なお、上述の昇圧回路は、既に、パーソナルコンピュータや携帯型ヘッドホンステレオプレーヤなどの多くの機器に採用されており、公知の技術であるため、詳細な説明については省略する。
このように、第１及び第２バックアップ処理が実施されることにより、Ａ給電系統及びＢ給電系統の両系統が使用不能となるまで、電力を活用することができる。
【００３２】
なお、このような第１及び第２バックアップ処理の実行に伴い、電力損失が発生するが、このような第１及び第２のバックアップ処理を実施する期間は、使用時間全体から見ると極限られた時間である。
ちなみに、従来の携帯型パソコン１２０では、半導体素子１２４において、常時電力損失が発生している。
【００３３】
なお、本実施の形態では、第１電池ブロックを構成する電池の種類と、第２電池ブロックを構成する電池の種類とが異なっているが、同一の種類の電池であってもよい。
その場合、直列させる電池の本数を異ならせて、出力電圧が異なるようにする。
【００３４】
例えば、本実施の形態では、電池ブロック１３は、起電圧３．６Ｖのリチウムイオン電池を３本直列に配列することにより構成されていたが、起電圧１．２Ｖのニッケル水素電池を９本直列に配列することにより構成されるとしてもよい。
また、本実施形態におけるパック電池の給電系統は、２つであったが、これに限らず、異なる特性を有する機器をＮ（Ｎは３以上の整数）以上備える装置の電源用として使用する場合には、給電系統が３以上Ｎ以下の数だけあっても構わない。
【００３５】
このような場合、電力損失低減化の観点から見れば、給電系統がＮ個あることが好ましい。
また、本実施の形態では、制御回路は、パック電池に内蔵されていたが、パソコン側に内蔵されていてもよい。
また、本実施の形態では、昇圧回路は、パソコンに内蔵されているとしたが、パック電池に内蔵されているとしても構わない。
【００３６】
【発明の効果】
以上の説明のように、本発明のパック電池は、独立した第１及び第２の給電系統と、１又は複数の電池からなり、前記第１の給電系統に電気的に接続される第１の電池ブロックと、１又は複数の電池からなり、前記第２の給電系統に電気的に接続され、前記第１の電池ブロックとは異なる特性を有する第２の電池ブロックとが１つの筐体に収納されていることを特徴とする。
【００３７】
１つの出力系統から全ての機器に対して電力を供給しようとすれば、電流容量及び電圧を各機器のうち最も大きな値に設定せざるを得ず、個々の機器から見れば、パック電池の設計がオーバースペックとなるが、前記パック電池は、出力系統を２系統に分けているため、各系統に接続される機器それぞれの特性に即した電池ブロックの設計がなされる。
【００３８】
特に、駆動電圧が異なる機器に電力を供給する場合、前記パック電池が、各機器の駆動電圧で最初から出力することにより、電力損失の原因となる電圧降下を行わずに済み、電力が効率的に使用される。
このため、電力の使用効率が向上するために、パック電池に内蔵する電池の総本数を少なくすることができ、パック電池をコンパクトに設計することができる。さらに、特性の異なる２つの電池ブロックを設けて、異なる給電系統を構成しているとはいえ、それら全体を一つの筐体内に収納しているので、各電池ブロックを別々のパック電池として構成するよりも、全体としてコンパクトにすることができる。
【００３９】
また、前記第１の電池ブロックと前記第２の電池ブロックとでは、これらを構成している前記各電池の配列又は種類が異なっているとしてもよい。
これにより、各電池ブロックの特性を容易に異ならせることができる。
また、前記第１の電池ブロックを構成している各電池は、リチウムイオン電池又はポリマー電池であり、前記第２の電池ブロックを構成している各電池は、ニッケル水素電池又はニッケルカドミウム電池であるとしてもよい。
【００４０】
これにより、このパック電池に接続される機器の特性に応じた電池を選択することができる。
また、好ましい適用例として、前記パック電池は、第１の機器と当該第１の機器に比べて負荷変動が大きな第２の機器とを有する装置に接続されるものであって、前記第１の給電系統が、前記第２の機器に接続されており、前記第２の給電系統が、前記第１の機器に接続されているとしてもよい。
【００４１】
これにより、第２機器の電源として負荷変動に強いニッケル水素電池又はニッケルカドミウム電池からなる第１の電池ブロックが用いられ、起電圧が高く負荷変動に弱いリチウムイオン電池又はポリマー電池からなる第２の電池ブロックが第１機器の電源として用いられる。
また、本発明のパック電池は、ＣＰＵとその他の機器とを有する携帯型パソコンの電源として使用されるパック電池であって、前記ＣＰＵに接続される第１の給電系統と、前記その他の機器と接続され、前記第１の給電系統とは別系統の第２の給電系統とを有し、ニッケル水素電池又はニッケルカドミウム電池からなり、前記第１の給電系統に電気的に接続される第１の電池ブロックと、リチウムイオン電池又はポリマー電池からなり、前記第２の給電系統に電気的に接続される第２の電池ブロックとが１つの筐体に収納されていることを特徴とする。
【００４２】
一般的に、ＣＰＵは、他の機器に比べ、負荷変動が大きく駆動電圧が低いため、このようなＣＰＵには、負荷変動に強いニッケル水素電池又はニッケルカドミウム電池からなる第１の電池ブロックが接続され、また、ＣＰＵと比べれば、駆動電圧が高く、負荷変動が小さなその他の機器には、起電圧が高く負荷変動に弱いリチウムイオン電池又はポリマー電池からなる第２の電池ブロックが接続される。
【図面の簡単な説明】
【図１】本発明の実施の形態に係るパック電池の構成を示す展開斜視図である。
【図２】本実施の形態におけるパック電池のブロック回路図である。
【図３】従来のパック電池の構成を示す展開斜視図である。
【図４】従来のパック電池のブロック回路図である。
【符号の説明】
１０                    パック電池
１１                    下部筐体
１２                    上部筐体
１３                    電池ブロック
１３ａ、１３ｂ、１３ｃ  リチウムイオン電池
１４                    電池ブロック
１４ａ、１４ｂ          ニッケル水素電池
１５                    回路基板
１６                    制御回路
１７                    ヒューズ
１８ａ、１８ｂ          端子
１８ｃ、１８ｄ          端子
１９                    コントロールＩＣ
２０ａ、２０ｂ          ＦＥＴ
２１ａ、２１ｂ、２１ｃ  抵抗
２２ａ、２２ｂ          コンデンサ
２３                    ヒューズ
３０                    携帯型パソコン
３１                    低電圧高負荷変動型機器
３２                    高電圧低負荷型機器
３３ａ、３３ｂ          端子
３３ｃ、３３ｄ          端子
１１０                  パック電池
１１１                  下部筐体
１１２                  上部筐体
１１３ａ、１１３ｂ      リチウムイオン電池
１１３ｃ、１１３ｄ      リチウムイオン電池
１１３ｅ、１１３ｆ      リチウムイオン電池
１１４                  回路基板
１１５                  制御回路
１１６ａ、１１６ｂ      端子
１２０                  携帯型パソコン
１２１                  低電圧高負荷変動型機器
１２２                  高電圧低負荷型機器
１２３ａ、１２３ｂ      端子
１２４                  半導体素子
【図１】
2004178434.tif 000003
【図２】
2004178434.tif 000004
【図３】
2004178434.tif 000005
【図４】
2004178434.tif 000006